(57)【特許請求の範囲】
【請求項１】
集塵袋と台紙から成る紙パックを収容する集塵室と、
前記集塵室内に配置され、前記紙パックの台紙が下方に向かって挿入されて、前記台紙を支持する紙パック挿入ガイドと、
前記集塵室の前壁のホース接続開口の周縁に設けられるシールパッキンと、
前記台紙が前記シールパッキンに押しつけられた状態で、前記台紙を保持する紙パック固定部品を備え、
前記紙パック挿入ガイドは、板状の左右の側面部と、この左右の側面部の前端を接続する前面部と、各側面部の後端から前記前面部と対向するように延設された前記紙パックを案内する案内レールとから構成され、
前記紙パック固定部品は、前記台紙を前記紙パック挿入ガイドに挿入する際に、前記台紙の向きを前記案内レールと平行な向きに矯正する矯正部を有することを特徴とする電気掃除機。
【請求項２】
前記紙パック固定部品は、後方に向けて凸な曲面であり前記台紙を後方から受ける台紙受部と、前記台紙受部の前方に設けられ前記紙パックの台紙の上端部が嵌ることで前記紙パックを保持する台紙保持部と、前記台紙受部の上方に位置し前記台紙に接する台紙規制リブを有し、
前記矯正部は、前記紙パックを前記紙パック挿入ガイドに挿入する際に、前記台紙が接する前記台紙規制リブの部位を通る前記台紙受部の接線が平行な向きとなるよう構成されることで形成されることを特徴とする請求項１に記載の電気掃除機。
【請求項３】
前記集塵室の開口を開閉する蓋を有し、
前記蓋には、下面に下方に伸びるリブが形成され、
前記紙パック固定部品には、蓋閉規制リブが設けられ、
前記紙パック固定部品が前記台紙を保持していない状態において、前記蓋のリブと前記蓋閉規制リブが接することで、前記蓋が前記集塵室の開口を閉じることができないようにすることを特徴とする請求項１に記載の電気掃除機。
【発明の詳細な説明】
【技術分野】
【０００１】
本発明は、電気掃除機に関するものであり、特に集塵用紙パックの装着構造に関する。
【背景技術】
【０００２】
従来から、本体の集塵室内に集塵袋である紙パックをセットする際に、紙パックの台紙（口枠）の挿入を案内するための台紙案内レールを両側に有する台紙支持板（紙パック装着ガイド）を設けることで挿入性を改善する電気掃除機がある。
この様な電気掃除機は、紙パックを本体の集塵室内にセットする際に、台紙支持板に紙パックの台紙を挿入し、紙パックの台紙を手で起こして紙パック固定部品にセットすることで、正規の位置に固定されるものである（例えば、特許文献１参照）。  
【先行技術文献】
【特許文献】
【０００３】
【特許文献１】特開２００７−９７６３２号公報
【発明の概要】
【発明が解決しようとする課題】
【０００４】
しかしながら、特許文献１に記載の電気掃除機では、台紙支持板の紙パックの台紙を挿入する部分が狭い為、紙パックの台紙が台紙支持板に挿入する途中で引っ掛かることがあり、紙パックを集塵室の内部に装着し難いという課題がある。
【０００５】
本発明はこの様な課題を解決するものであり、紙パックを台紙支持板に挿入する際に引っ掛かりにくく、装着し易い紙パック装着構造を有する電気掃除機を提供することを目的とする。
【課題を解決するための手段】
【０００６】
以上の課題を解決する為には、電気掃除機において、集塵袋と台紙から成る紙パックを収容する集塵室と、集塵室内に配置され、紙パックの台紙が下方に向かって挿入されて、台紙を支持する紙パック挿入ガイドと、集塵室の前壁のホース接続開口の周縁に設けられるシールパッキンと、台紙がシールパッキンに押しつけられた状態で、台紙を保持する紙パック固定部品を備え、紙パック挿入ガイドは、板状の左右の側面部と、この左右の側面部の前端を接続する前面部と、各側面部の後端から前面部と対向するように延設された紙パックを案内する案内レールとから構成され、紙パック固定部品は、台紙を紙パック挿入ガイドに挿入する際に、台紙の向きを案内レールと平行な向きに矯正する矯正部を有することで課題を解決することができる。
【発明の効果】
【０００７】
本発明によれば、紙パックを台紙支持板に挿入する際に引っ掛かりにくく、装着し易い紙パック装着構造を有する電気掃除機を提供することができる。
【図面の簡単な説明】
【０００８】
【図１】実施の形態に係る電気掃除機の外観斜視図
【図２】実施の形態に係る電気掃除機において、掃除機本体の左右中心を通る位置を断面位置とする断面を左側から見た断面図
【図３】（ａ）掃除機本体を左斜め後方から見た蓋を開放した状態の斜視図・（ｂ）（ａ）の要部拡大図
【図４】図３（ａ）の要部拡大図の断面図
【図５】（ａ）紙パック固定部品の左側面図・（ｂ）紙パック固定部品を左斜め上方向から見た斜視図
【図６】（ａ）図３の状態から紙パックが外れた状態を示す斜視図・（ｂ）図６（ａ）の要部拡大図
【図７】図２の状態から蓋５１が開放し、紙パックが外れた状態を示す断面図
【図８】紙パック挿入ガイドと紙パック固定部品と紙パックを模式的に示した斜視図
【図９】紙パック挿入ガイド８２に紙パック６を挿入する過程を示す部分断面図１
【図１０】紙パック挿入ガイド８２に紙パック６を挿入する過程を示す部分断面図２
【図１１】紙パック挿入ガイド８２に紙パック６を挿入する過程を示す部分断面図３
【図１２】紙パック挿入ガイド８２に紙パック６を挿入する過程を示す部分断面図４
【図１３】（ａ）紙パックの固定不良状態を示す断面斜視図・（ｂ）（ａ）の要部拡大図
【図１４】図１３（ａ）の要部拡大断面図
【発明を実施するための形態】
【０００９】
実施の形態
図１は、本発明に係る電気掃除機の実施の形態を示す外観斜視図である。
図１に示すように電気掃除機１００（以下、掃除機１００）は、吸込具１と、吸引パイプ２と、接続パイプ３と、ホース４と、掃除機本体５とから構成されている。
吸込具１は、床面上の塵埃を空気と共に吸い込む。吸込具１の出口側には真直な円筒状の吸引パイプ２の一端が接続されている。吸引パイプ２の他端には、中途にて若干折れ曲がった接続パイプ３の一端が接続されおり、接続パイプには、掃除機１００の運転を制御する操作スイッチ３ｂが設置されたハンドル３ａが設けられている。
【００１０】
接続パイプ３の他端には、可撓性を有する蛇腹状のホース４の一端が接続されている。さらに、ホース４の他端には、掃除機本体５が接続されている。掃除機本体５は、塵挨を集塵する方式が紙パック式であり、図示しない電源コードを介して外部電源に接続され、操作スイッチ３ｂにより通電されることで集塵動作を行う。
吸込具１、吸引パイプ２、接続パイプ３およびホース４は、塵挨を含む空気を掃除機本体５の外から内部に流入させるための流路の一部を構成する。
【００１１】
次に、図２は、掃除機本体５の左右中心を通る位置を断面位置とする断面を左側から見た断面図である。図３（ａ）は、掃除機本体５を左斜め後方から見た蓋５１を開放した状態の斜視図である。図３（ｂ）は、図３（ａ）の要部拡大図である。図４は、図３（ａ）の要部拡大図の断面図である。図５（ａ）は、紙パック固定部品８１の左側面図である。図５（ｂ）は、紙パック固定部品８１を左斜め上方向から見た斜視図である。
【００１２】
図２〜図５を参照して、掃除機本体５の構成を説明する。
図２〜図３に示すように、電気掃除機１００の掃除機本体５は、蓋５１と、上ケース５２と、下ケース５３と、下ケース５３に取り付けられ、掃除機本体５を手で持ち運びができるようにする為の取手５４と、下ケース５３の下面に取り付けられた前輪５５と、径が前輪５５より大きく、下ケース５３の左面及び右面にそれぞれ設けられた後輪５６を備えている。
【００１３】
上ケース５２は、下ケース５３の上面を覆うように、下ケース５３に取り付けられる。上ケース５２は主に意匠面を形成する。上ケース５２には、蓋５１が取り付けられる。
蓋５１は、集塵室５３１の上方に向けて開口する集塵室開口５３１ａを開閉する。下ケース５３は、内部に機能部品が設けられる部位である吸引動力部５３２や集塵室５３１などの機能部が構成されている。また、蓋５１の下面の前側には、下方向に向けて突出するリブ５１ａが形成されている。
【００１４】
次に、下ケース５３の内部構成について説明する。
図２において、左側を前方と呼び、右側を後方と呼ぶ。下ケース５３内の前方には集塵室５３１が設けられ、後方には吸引動力部５３２が設けられている。集塵室５３１には、着脱可能な紙パック６が設けられる。また、集塵室５３１と吸引動力部５３２との間には、両部位を隔てる仕切りであるセパレーター５３３が設けられている。
【００１５】
セパレーター５３３には、集塵室５３１から吸引動力部５３２へと気流が流れることができる連通開口５３３ａが形成されており、この連通開口５３３ａを塞ぐようにフィルター５３３ｂが設置される。
フィルター５３３ｂは、紙パック５の外部であって集塵室５３１の内部に侵入した塵挨が、吸引動力部５３２の内部に侵入することを防ぐものであり、綿埃など大きめな塵挨を捕捉するフィルターが用いられる。
【００１６】
また、集塵室５３１の前側の壁である下ケース５３の前壁５３９には、ホース４と接続する開口部であるホース接続口５３７が設けられている。ホース接続口５３７は、掃除機本体５の外部空間と集塵室５３１と連通する開口である。このホース接続口５３７の周縁の前壁５３９には、ゴムなどの弾性部材から成るシールパッキン５３４で覆われている。
吸引動力部５３２は、電動送風機である。この電動送風機を動作させることで生じる吸引力で、塵埃を含む外気を吸込具１から流通路を介して集塵室５３１内に設けられる集塵袋（紙パック６）の内部に導く。
その他、掃除機本体５には、制御基板５３５、表示部（図示せず）、コードリール部５３６が設けられる。また、掃除機本体５には、電動送風機の排気を外部に排出する排気口５３８が形成されている。
【００１７】
以上の様に構成された掃除機本体６には、ホース接続口５３７から塵挨を含んだ空気が流入する。流入した塵挨を含んだ空気は、集塵室５３１内部に設けられた紙パック６に至る。紙パック６は、流入した塵挨を含んだ空気から塵挨をこし取り、内部に塵挨を保持する。塵挨をこし取られた空気は、セパレーター５３３に設けられたフィルター５３３ｂを通り、吸引動力部５３２に至る。吸引動力部５３４に通過した空気は、制御基板５３５やコードリール部５３６を冷却したのち、排気口５３８より掃除機本体５が外部に排出される。
【００１８】
次に、図２〜図８を参照して、集塵室５３１の内部構成について詳細に説明する。
図６（ａ）は、図３の状態から紙パック６が外れた状態を示す斜視図である。図６（ｂ）は、図６（ａ）の要部拡大図である。図７は、図２の状態から蓋５１が開放し、紙パック６が外れた状態を示す断面図である。図８は、紙パック挿入ガイド８２と紙パック固定部品８１と紙パック６を模式的に示した斜視図である。尚、図８（ａ）〜（ｃ）は、紙パック挿入ガイド８２に紙パック６が挿入され、紙パック６が紙パック固定部品８１により固定される状態を示している。また、図８において、各構造を解り易く説明する為、紙パック６の集塵袋６２を省略して表現してある。
【００１９】
集塵室５３１の内部には、紙パック６と、この紙パック６を固定する紙パック固定部品８１と紙パック挿入ガイド８２が設けられている。
紙パック６は、台紙６１とこの台紙６１に取り付けられた袋状の集塵袋６２から構成されている。台紙６１は矩形状である。また、台紙６１には台紙開口６１１が開口している。集塵袋６２の内部は、台紙開口６１１で集塵袋６２の外部と連通している。
【００２０】
次に、紙パック挿入ガイド８２は、紙パック６を正しい固定位置に導くためのものである。主に図８を参照して紙パック挿入ガイド８２を説明すると、紙パック挿入ガイド８２は、左右の側面部８２１と、この左側と右側の側面部８２１を接続する前面部８２２と、左右の案内レール８２３を有する。
側面部８２１は、前端がほぼ鉛直で、後端が後方に向けて傾斜した形状とすることで、上部から下方に進むにつれて、前端と後端の徐々に幅が狭くなる形状である。
【００２１】
前面部８２２は、左側に側面部８２１と右側の側面部８２１の前端を接続する平板形状の部位である。前面部８２２は、側面部８２１の上部から所定の幅の部分に設けられている。前面部８２２の下方と左右の側面部８２１に囲まれた空間は、前後方向に連通している。つまり、この空間は気流が前後方向に流れることができる。尚、この前面部８２２の所定の幅とは、左右の側面部８２１を接続すると共に、紙パック挿入ガイド８２の形状が変形しない程度の強度となる幅である。
また、前面部８２２の上部には、後述する紙パック固定部品８１を軸支する軸受部８２２ａが形成されている。
【００２２】
案内レール８２３は、左右の側面部８２１の後端それぞれから、前面部８２２と対向するように、側面部８２１に対して垂直に延設された部位である。このように、案内レール８２３は、後方に向けて傾斜した側面部８２１の後端から延設しているので、案内レール８２３の前側の面は、後方に向けて傾斜した斜面となっている。
この様に構成された紙パック挿入ガイド８２は、前面部８２２の位置で水平に切断した切断形状が略Ｃ字形状を成す。
【００２３】
次に、主に図５を参照して、紙パック６を後述の所定位置で固定する紙パック固定部品８１を説明する。
紙パック固定部品８１は、基部８１０と、基部８１０の後側の部位である後部８１２と、基部８１０の前側の部位である前部８１３から構成されている。基部８１０には、左右の側面からそれぞれ同軸となるように右方向及び左方向に突出する一対の回転軸８１１が設けられている。
【００２４】
後部８１２の後方を向く面には、紙パック６を固定する際に台紙６１を受ける台紙受部８１２ａが形成されている。また、後部８１２の台紙受部８１２ａの上方には、紙パック６を紙パック挿入ガイド８２に挿入する際に、台紙６１に接することで向きを規制する台紙規制リブ８１２ｂが設けられている。
台紙受部８１２ａは、紙パック固定部品８１を側方から見て、上端から下端にかけて後方に向けて凸である弓なり形状の曲面である。
【００２５】
台紙規制リブ８１２ｂは、紙パック固定部品８１を側方から見て、台紙受部８１２ａの上端付近から上方に向けて突出する部分であり、台紙受部８１２ａの最も後である部分より前側に位置する。
また、紙パック固定部品８１の軸８１１と台紙受部８１２ａの間には、紙パック固定部品８１を側方から見て、台紙受部８１２ａの下端から上方に向けて凹む凹部を形成することで台紙保持部８１２ｃが形成されている。
【００２６】
次に、前部８１３には、紙パック固定部品８１を側方から見て、下方向よりバネを受けるバネ受け部８１３ａが設けられている。また、紙パック固定部品８１を側方から見て、バネ受け部８１３ａと軸８１１の間には、上方向に突出する蓋閉止規制リブ８１３ｂが設けられている。
以上の紙パック固定部品８１に設けられている各部は、樹脂により一体成型により形成されている。
【００２７】
この様に構成された紙パック固定部品８１は、一対の回転軸８１１を紙パック挿入ガイド８２の軸受部８２２ａに軸支させることで、紙パック挿入ガイド８２に取り付けられる。この様に、紙パック固定部材８１は、紙パック挿入ガイド８２に軸支されて取り付けられているので、軸８１１を中心に前後に回動自在である。
また、紙パック固定部材８１は、紙パック挿入ガイド８２に取り付けられた状態において、台紙受部８１２ａと台紙保持部８１２ｃが、紙パック挿入ガイド８２の前面部８２２より後方に位置する。
【００２８】
また、軸８１１より前側において、紙パック挿入ガイド８２と紙パック固定部品８１のバネ受け部８１３ａの間には、バネ９０が縮められた状態で介在している。バネ受け部８１３ａは、下方向よりバネ９０を受けている。
このようにバネ９０を配置しているので、紙パック固定部品８１を左側方から見た場合、紙パック固定部品８１は常に軸８１１を中心に、右回転する方向にモーメントが働いている。
【００２９】
つまり、紙パック固定部品８１が紙パック６を固定していない状態で、紙パック固定部品８１に力が加わっていない状態では、バネ９０の復元力により、常に後方に向けて付勢されて倒れている。
ここで、紙パック固定部品８１が紙パック６を固定していない状態では、台紙規制リブ８１２ｂの先端部分を通る台紙受部８１２ａの接線Ｌは、案内レール８２３と平行となる（図９（ａ）参照）。台紙規制リブ８１２ｂの先端部分は、紙パック６を紙パック挿入ガイド８２に取り付ける際に、台紙６１が接する部分である。
【００３０】
そして、以上のように紙パック固定部品８１が設けられた状態の紙パック挿入ガイド８２は、集塵室５３１の内部に取り付けられる。
集塵室５３１の内部に取り付けられた紙パック挿入ガイド８２は、集塵室５３１の前壁５３９の後側の位置に、前壁５３９に前面部８２２が対向した状態で設けられる。この状態において、前壁５３９に開口するホース接続口５３７は、紙パック挿入ガイド８２の前面部８２２の下方と左右の側面部８２１に囲まれた空間と、前後に対向している。
また、紙パック挿入ガイド８２が集塵室５３１に設けられた状態では、ホース接続開口５３７の開口の周囲に設けられたシールパッキン５３４は、紙パック挿入ガイド８２の前面部８２２の下方であって左右の側面部８２１の間の部分に位置する。
【００３１】
次に、紙パック６を集塵室５３１の内部に装着する手順について主に図６〜図１４を用いて説明する。
図９〜図１２は、紙パック挿入ガイド８２に紙パック６を挿入する過程を示す部分断面図である。図１３は、紙パックの固定不良状態を示す断面図である。図１４は、図１３の要部を拡大した断面図である。
尚、図７〜図１４において、紙パック６は台紙６１のみしか図示していないが、実際には台紙６１と集塵袋６２が一体となった紙パック６が挿入される。集塵袋６２も一緒に図示すると、図が解り難くなるため、便宜上台紙６１のみを図示している。
【００３２】
まず、紙パック６が装着されていない状態において、紙パック６を集塵室５３１内にセットする場合、図６、図８（ａ）、図９〜図１０に示すように、まず、紙パック６を紙パック挿入ガイド８２の上方から紙パック挿入ガイド８２の下方に向けて挿入する。
このように紙パック６を紙パック挿入ガイド８２に挿入するとき、紙パック６の台紙６１の前面を台紙規制リブ８１２ｂと台紙受部８１２ａに沿わせながら行うことで、紙パック６を挿入ガイド８２の内部にスムーズに挿入することができる。
【００３３】
これは、紙パック固定部品８１が紙パック６を固定していない状態では、台紙規制リブ８１２ｂの先端部分を通る台紙受部８１２ａの接線Ｌは、案内レール８２３の面と平行となるよう構成されている。
これにより、紙パック挿入ガイド８２に紙パック６を挿入するとき、紙パック６の台紙６１の前面を台紙規制リブ８１２ｂと台紙受部８１２ａに沿わせながら行うことで、紙パック６の台紙６１が案内レール８２３に対して平行に移動しながら、紙パック挿入ガイド８２の内部へと入っていく。
【００３４】
従って、紙パック６を紙パック挿入ガイド８２の内部に挿入するとき、台紙６１の下端が案内レール８２３の面に対して交わるように接することを防止できるので、案内レール８２３に台紙６１が引っ掛かり難く構成することができる。
つまり、台紙６１の上端部がその下端部よりも多少前向きの傾斜状態で台紙６１を紙パック挿入ガイド８２に挿入しても、台紙規制リブ８１２ｂと台紙受部８１２ａにより、台紙６１の挿入時の状態が、案内レール８２３と平行な状態へと矯正される。これにより、案内レール８２３に台紙６１が引っ掛かり難く挿入操作を行うことができる。
【００３５】
台紙規制リブ８１２ｂと台紙受部８１２ａにより、台紙６１の向きを案内レール８２３と平行な向きに矯正する矯正部を構成している。
そして、ある程度台紙６１が紙パック挿入ガイド８２の内部に入り込めば、台紙６１の下端及び台紙６１の表面の両側部を両端の案内レール８２３に載せ、案内レール８２３に沿って下方へ滑り込ませるようにすれば、挿入がスムーズになる。
【００３６】
次に、図１０を参照すると、このように紙パック６の台紙６１の両端を案内レール８２３に沿わせて挿入することにより、台紙６１の下端は下方への挿入が進むに連れて前方へ移動していく。
従って、台紙６１の挿入が進むに連れて台紙６１の重心は次第に案内レール８２３側に移動するため、台紙６１は案内レール８２３側に倒れて行く。そして、意図的に台紙の上部を紙パック挿入ガイド８２内の最前部へ持って行かない限り、最終的に台紙６１を案内レール８２３上に載せた状態で挿入できる。
そして、台紙６１の下端が案内レール８２３の下端を通り過ぎて集塵室５３１の底部５３１ｂに当接すると、台紙６１の移動はそこで停止して、台紙６１の挿入は完了する。
【００３７】
ここで、図１０に示すように、紙パック６が紙パック挿入ガイド８２の内部に挿入されただけの状態では、紙パック固定部品８１は、後方に倒れた状態となっている。この状態で蓋５１を閉じると、蓋５１の下面に設けられたリブ５１ａと紙パック固定部品８１の蓋閉規制リブ８１３ｂが上下に接触して、蓋５１を完全に閉じることができない。
蓋５１が閉じることができない状態とは、ユーザーが、蓋が閉じていないことを認識できる程度に、蓋５１と集塵室開口５３１ａに隙間ができている状態である。
【００３８】
次に、図８（ｂ）（ｃ）、図１１、図１２を参照して、紙パック６が紙パック固定部品８１に固定されるまでの状態を説明する。
紙パック挿入ガイド８２の内部に挿入されただけの状態の紙パック６の台紙６１の上部を、ユーザーが手動で前方に押す。これにより、紙パック６は台紙６１の下端が支点となり前方へ回動し、台紙６１の上端部が紙パック固定部品８１の後端に位置する台紙受部８１２ａに当接する（図１１（ａ））。
【００３９】
さらに、手動で台紙６１の上部を前方に押し込むと、台紙受部８１２ａは断面形状が外側に凸の曲面で構成されているので、紙パック固定部品８１の台紙受部８１２ａは、前方へと押される台紙６１の上端部に乗り上げ上方へ移動する。
そして、この動きに伴い紙パック固定部品８１は、回動軸８１１を中心に前部８１３が前方に傾き、バネ受け部８１３ａがバネ９０を縮める（図１１（ｂ）、図１２（ａ））。
【００４０】
そして、台紙６１の押し込みがさらに進むと、紙パック固定部品８１の台紙受部８１２ａが台紙６１の上端部を載り超えると、台紙保持部８１２ｃが台紙６１の上方に至る。
この時、バネ９０の復元力により紙パック固定部品８１が後方に向けて傾き、凹形状である台紙保持部８１２ｃの内部に、台紙６１の上端部が嵌り込み、紙パック６は紙パック固定部品８１により固定される（図１２）。
尚、紙パック６は紙パック固定部品８１により固定された状態では、蓋５１の下面に設けられたリブ５１ａと紙パック固定部品８１の蓋閉規制リブ８１３ｂが上下に接しない状態となり、蓋５１を完全に閉じることができる。
【００４１】
また、図１３、図１４に示すように、紙パック固定部品８１に正しく台紙６１が固定されずに、台紙６１の上端部に、紙パック固定部品８１の台紙受部８１２ａが乗り上げた状態（紙パック固定不良状態）の場合、台紙規制リブ８１２ｂが蓋５１のリブ５１ａと上下に接触して干渉するので、蓋６１を正しく閉めることができない。
これにより、紙パック６を正しく装着されていない状態をユーザーが気づきやすく構成されている。
【００４２】
このように紙パック６は、紙パック固定部品８１により固定された状態では、紙パック６は、シールパッキン５３４に台紙６１を押し付けた状態で紙パック固定部品８１が台紙６１の上部を保持し、台紙６１の台紙開口６１１とホース接続口５３７が前後に一致するように位置決めされる。
これにより、台紙６１の台紙開口６１１とホース接続口５３７は密着状態で連通されるため、ホース接続口５３７から吸引した塵挨は、すべて集塵袋６２内に吸入される。
【００４３】
以上のように、本発明を用いた電気掃除機は、紙パック固定部品８１が紙パック６を固定していない状態では、台紙規制リブ８１２ｂの先端部分を通る台紙受部８１２ａの接線Ｌは、案内レール８２３の面と平行となるよう構成されている。
これにより、紙パック挿入ガイド８２に紙パック６を挿入するとき、紙パック６の台紙６１の前面を台紙規制リブ８１２ｂと台紙受部８１２ａに沿わせながら行うことで、紙パック６の台紙６１が案内レール８２３に対して平行に移動しながら、紙パック挿入ガイド８２の内部へと入っていく。
【００４４】
従って、紙パック６を紙パック挿入ガイド８２の内部に挿入するとき、台紙６１の下端が案内レール８２３の面に対して交わるように接することを防止できるので、案内レール８２３に台紙６１が引っ掛かり難く構成することができる。
【００４５】
また、紙パック固定部品８１に蓋閉規制リブ８１３ｂを設けることで、紙パック６を固定していない状態では、蓋閉規制リブ８１３ｂが蓋５１に設けたリブ５１ａと干渉して蓋５１を閉じることができないようにする。
これにより、集塵室５３１に紙パック８をつけ忘れて、電気掃除機を動作させることを防止できる。特に、台紙規制リブ８１２ｂを有する紙パック固定部品８１に、蓋閉規制リブ８１３ｂ設けたので、部品を増やすことなく、上記の機能を得ることができる。
【符号の説明】
【００４６】
１００  電気掃除機、１  吸込具、２  吸引パイプ、３  接続パイプ、４  ホース、５  掃除機本体、６  紙パック、６１  台紙、６２  集塵袋、５１  蓋、５１ａ  リブ、５２  上ケース、５３  下ケース、５４  取手、５５  前輪、５６  後輪、５３１  集塵室、５３２  吸引動力部、５３３  セパレーター、５３７  ホース接続口、８１  紙パック固定部品、８１０  基部、８１１  軸、８１２  後部、８１２ａ  台紙受部、８１２ｂ  台紙規制リブ、  ８１２ｃ  台紙保持部、８１３  前部、８１３ａ  バネ受け部、８１３ｂ  蓋閉規制リブ、８２  紙パック挿入ガイド、８２１  側面部、８２２  前面部、８２３  案内レール、９０  バネ
【図１】
0006610391.tif 000002
【図２】
0006610391.tif 000003
【図３】
0006610391.tif 000004
【図４】
0006610391.tif 000005
【図５】
0006610391.tif 000006
【図６】
0006610391.tif 000007
【図７】
0006610391.tif 000008
【図８】
0006610391.tif 000009
【図９】
0006610391.tif 000010
【図１０】
0006610391.tif 000011
【図１１】
0006610391.tif 000012
【図１２】
0006610391.tif 000013
【図１３】
0006610391.tif 000014
【図１４】
0006610391.tif 000015